(57)【特許請求の範囲】
【請求項１】
送信対象とする送信データと当該送信データの識別を示す識別情報とを送信データ領域に配置し、
上記送信データの宛先からなる宛先情報を宛先情報領域に配置し、
上記送信データ領域と宛先情報領域とを選択呼出部に配置し、
上記選択呼出部に上記送信データ及び上記宛先情報を読み出すための同期情報を付加してなるグループをデータ送信サイクルとして繰り返し送信するデータ送信方法であって、
上記送信データがビデオゲームに使用されるデータであり、また、上記識別情報がビデオゲームの進行段階を示すことを特徴とするデータ送信方法。
【請求項２】
上記宛先情報は、データ受信端末が自己宛に送信されてくる送信データの受信に用いる当該データ受信端末固有の識別情報とされて、その種類が物理的に制限されてなるのに対して、上記送信データを示す識別情報はその種類が何ら制限のない情報からなることを特徴とする請求の範囲第１項記載のデータ送信方法。
【請求項３】
上記識別情報は、属性の異なる複数種類の情報が配置されてなることを特徴とする請求の範囲第１項記載のデータ送信方法。
【請求項４】
上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされること
を特徴とする請求の範囲第１項記載のデータ送信方法。
【請求項５】
送信対象とする送信データが配置される送信データ領域と当該送信データの宛先を示す宛先情報が配置される宛先情報領域とからなる選択呼出部と、当該送信データ及び宛先情報を読み出すための同期情報とを有するグループをデータ送信サイクルとして繰り返して送信データの送信処理をするデータ送信装置であって、
上記送信データ領域に当該送信データ領域に配置される送信データの識別を示す識別情報を配置する識別情報配置手段と、
上記データ送信サイクルとして上記送信データの送信処理をする送信処理手段とを備え、
上記送信データがビデオゲームに使用されるデータであり、また、上記識別情報配置手段によって配置される上記識別情報が、ビデオゲームの進行段階を示すことを特徴とするデータ送信装置。
【請求項６】
上記宛先情報は、データ受信端末が自己宛に送信されてくる送信データの受信に用いる当該データ受信端末固有の識別情報とされて、その種類が物理的に制限されてなるのに対して、上記送信データを示す識別情報はその種類が何ら制限のない情報からなること
を特徴とする請求の範囲第５項記載のデータ送信装置。
【請求項７】
上記識別情報は、属性の異なる複数種類の情報が配置されてなることを特徴とする請求の範囲第５項記載のデータ送信装置。
【請求項８】
上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされること
を特徴とする請求の範囲第５項記載のデータ送信装置。
【請求項９】
送信対象とする送信データ及び当該送信データの識別を示す識別情報が配置される送信データ領域と当該送信データの宛先を示す宛先情報が配置される宛先情報領域とからなる選択呼出部と、当該送信データ及び宛先情報を読み出すための同期情報とを有するグループがデータ送信サイクルとして繰り返されて送信されるデータ受信装置であって、
宛先情報を設定する宛先情報設定手段と、
識別情報を設定する識別情報設定手段と、
自己の属する上記グループ内に配置されている情報を得るために、同期情報に基づいて上記グループの同期をとる同期手段と、
上記選択呼出部に配置されている宛先情報と、上記宛先情報設定手段により設定された宛先情報とを比較して宛先情報比較結果を得る宛先情報比較手段と、
上記送信データ領域に配置されている識別情報と、上記識別情報設定手段により設定された識別情報とを比較して識別情報比較結果を得る識別情報比較手段と、
上記宛先情報比較結果及び上記識別情報比較結果に基づいて上記送信データの受信制御を行う受信制御手段とを備え、
上記送信データがビデオゲームに使用されるデータであり、また、上記識別情報設定手段によって設定される上記識別情報が、ビデオゲームの進行段階に応じて設定されることを特徴とするデータ受信装置。
【請求項１０】
上記受信制御手段が上記宛先情報比較結果に基づいてのみ送信データの受信制御を行う旨を設定する受信制御設定手段を備えることを特徴とする請求の範囲第９項記載のデータ受信装置。
【請求項１１】
上記宛先情報は、自己宛に送信されてくる送信データの受信に用いる当該データ受信端末固有の識別情報とされて、その種類が物理的に制限されてなるのに対して、上記送信データを示す識別情報はその種類が何ら制限のない情報からなることを特徴とする請求の範囲第９項記載のデータ受信装置。
【請求項１２】
上記識別情報は、属性の異なる複数種類の情報が配置されてなることを特徴とする請求の範囲第９項記載のデータ受信装置。
【請求項１３】
上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされることを特徴とする請求の範囲第９項記載のデータ受信装置。
【請求項１４】
送信対象とする送信データ及び当該送信データの識別を示す識別情報が配置される送信データ領域と当該送信データの宛先を示す宛先情報が配置される宛先情報領域とからなる選択呼出部と、当該送信データ及び宛先情報を読み出すための同期情報とを有するグループがデータ送信サイクルとして繰り返されてくる送信されるデータを受信するデータ受信方法であって、
自己の属する上記グループ内に配置されている情報を得るために、同期情報に基づいて上記グループの同期をとる同期工程と、
上記選択呼出部に配置されている宛先情報と、予め設定された宛先情報とを比較して宛先情報比較結果を得る宛先情報比較工程と、
上記送信データ領域に配置されている識別情報と、予め設定された識別情報とを比較して識別情報比較結果を得る識別情報比較工程と、
上記宛先情報比較結果及び上記識別情報比較結果に基づいて上記送信データの受信制御を行う受信制御工程とを有し、
上記送信データがビデオゲームに使用されるデータであり、また、上記予め設定された識別情報が、ビデオゲームの進行段階に応じて予め設定されることを特徴とするデータ受信方法。
【請求項１５】
上記受信制御工程において上記宛先情報比較結果に基づいてのみ送信データの受信制御を行う旨を設定する受信制御設定工程を有することを特徴とする請求の範囲第１４項記載のデータ受信方法。
【請求項１６】
上記宛先情報は、自己宛に送信されてくる送信データの受信に用いる当該データ受信端末固有の識別情報とされて、その種類が物理的に制限されてなるのに対して、上記送信データを示す識別情報はその種類が何ら制限のない情報からなることを特徴とする請求の範囲第１４項記載のデータ受信方法。
【請求項１７】
上記識別情報は、属性の異なる複数種類の情報が配置されてなることを特徴とする請求の範囲第１４項記載のデータ受信方法。
【請求項１８】
上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされること
を特徴とする請求の範囲第１４項記載のデータ受信方法。
【請求項１９】
送信対象とする送信データが配置される送信データ領域と当該送信データの宛先を示す宛先情報が配置される宛先情報領域とからなる選択呼出部と、当該送信データ及び宛先情報を読み出すための同期情報とを有するグループを、データ送信装置とデータ受信装置との間でデータ送信サイクルとして繰り返し送受信処理をするデータ送受信システムであって、
上記データ送信装置は、上記送信データ領域に当該送信データ領域に配置される送信データの識別を示す識別情報を配置する識別情報配置手段と、上記データ送信サイクルとして上記送信データの送信処理をする送信処理手段とを備え、
上記データ受信装置は、宛先情報を設定する宛先情報設定手段と、識別情報を設定する識別情報設定手段と、自己の属する上記グループ内に配置されている情報を得るために、同期情報に基づいて上記グループの同期をとる同期手段と、上記選択呼出部に配置されている宛先情報と、上記宛先情報設定手段により設定された宛先情報とを比較して宛先情報比較結果を得る宛先情報比較手段と、上記送信データ領域に配置されている識別情報と、上記識別情報設定手段により設定された識別情報とを比較して識別情報比較結果を得る識別情報比較手段と、上記宛先情報比較結果及び上記識別情報比較結果に基づいて上記送信データの受信制御を行う受信制御手段とを備え、
上記データ送信装置から送信されるデータがビデオゲームに使用されるデータであり、また、上記識別情報設定手段によって設定される上記識別情報が、ビデオゲームの進行段階に応じて設定されることを特徴とするデータ送受信システム。
【請求項２０】
上記受信制御手段が上記宛先情報比較結果に基づいてのみ送信データの受信制御を行う旨を設定する受信制御設定手段を備えることを特徴とする請求の範囲第１９項記載のデータ送受信システム。
【請求項２１】
上記宛先情報は、上記データ受信装置が自己宛に送信されてくる送信データの受信に用いる当該データ受信端末固有の識別情報とされて、その種類が物理的に制限されてなるのに対して、上記送信データを示す識別情報はその種類が何ら制限のない情報からなること
を特徴とする請求の範囲第１９項記載のデータ送受信システム。
【請求項２２】
上記識別情報は、属性の異なる複数種類の情報が配置されてなることを特徴とする請求の範囲第１９項記載のデータ送受信システム。
【請求項２３】
上記送信データ領域、上記宛先情報領域及び上記選択呼出部が配置されて、これに上記同期情報を付加してなる上記グループは、無線呼出システムの送信用データフレームを構成し、
上記送信データ領域は、メッセージ信号領域とされることを特徴とする請求の範囲第１９項記載のデータ送受信システム。
【発明の詳細な説明】
【０００１】
技術分野
【０００２】
本発明は、宛先情報を付加した送信データを送信するデータ送信方法及びデータ送信装置、宛先情報に基づいて送信データの受信をするデータ受信装置及びデータ受信方法、並びに宛先情報を付加してデータの送受信をするデータ送受信システムに関する。
背景技術
【０００３】
従来より、電話機より入力した情報を送信する無線呼出システムが提供されている。無線呼出システムでは、情報受信端末として、いわゆるポケットベル受信機が使用されている。
【０００４】
また、近年では、この無線呼出システムを利用して、各種情報を提供する情報放送サービスが提案されている。この情報放送サービスにより、例えば、イベント情報、天気予報情報等の各種情報をポケットベル受信機、ページャ端末等によって受信が可能とされている。
【０００５】
ポケットベル受信機は、各放送基地局から放送される各種情報を同一のデータフレームに配置されている識別情報等に基づいて受信している。
【０００６】
従来より使用されているデータフレームのフォーマットは、図１中（Ａ）に示すように、データ送信サイクルとして１５のグループＧ1，Ｇ2，Ｇ3，Ｇ4，・・・，Ｇ14，Ｇ15よりフレームが構成されている。
【０００７】
各グループは、図１中（Ｂ）に示すように、同期信号２０１、アドレス／メッセージ識別信号２０２、複数の選択呼出信号２０３，２０４及び位相補償信号２０５より構成されている。ここで、１フレームは、例えば２９秒の周期をもつ。
【０００８】
同期信号２０１は、ポケットベル受信機が対応して自己の属するグループを同期して、当該同期したグループ内の自己宛の選択呼出信号を受信するための部分である。
【０００９】
選択呼出信号２０３，２０４は、図１中（Ｃ）に示すように、アドレス信号２１１及びメッセージ信号２１２から構成され、例えば、両信号の構成単位はともに誤り訂正符号語［ＢＣＨ（３１，１６）］（Bose-Chaud-huri-Hocqenghem code）である。例えば、この選択呼出信号は、その内容が３１ｂｉｔ単位とされて、合計で１５５ｂｉｔとして構成され、具体的には、アドレス信号は６１ｂｉｔ、メッセージ信号は９３ｂｉｔとされて表現される。
【００１０】
アドレス／メッセージ識別信号２０２は、選択呼出信号中のアドレス信号２１１及びメッセージ信号２１３の並び方を符号語単位で示したものである。これにより、ポケットベル受信機は、アドレス信号２１１のみを効率よく検索していくことができる。
【００１１】
アドレス信号２１１は、ポケットベル受信機の識別を示すアドレスとされる。即ち、アドレス信号２１１は、各ポケベル受信機に対応される固有の呼出番号からなる。ポケベル受信機は、このアドレス信号２１１を判別して、自己のアドレス信号（以下、自己アドレスという。）であることを確認した場合には、鳴音するとともに、メッセージ信号を解読して内容を表示する。なお、自己アドレスは変更可能とされている。
【００１２】
位相補償信号２０５は、各放送基地局で互いに送信信号の位相を一致させるために基地局側で用いる信号である。
【００１３】
即ち、ポケットベル受信機は、フレーム内のいずれか１つのグループに属し、自己の属するグループの同期信号を受信することによって同期をとり、そのグループ内の選択呼び出し信号を受信する。そして、ポケットベル受信機は、受信した選択呼び出し信号中に自己アドレスがあればその受信機は鳴音するとともにメッセージ信号の内容を表示する。
【００１４】
ところで、ポケットベル受信機の自己アドレスは最大８個というように比較的小さな数に物理的に限定されていた。これにより、ポケットベル受信機は、受信できる情報の種類がこの自己アドレスの数により制限され、情報の多様化への対応が困難であった。
【００１５】
また、自己アドレスを書き換えることにより、異なる情報を受信することは可能であるが、同時に受信できる数はやはり自己アドレスの数により制限を受けており、自己アドレスの数以上の種類の数の情報を受信する場合には、頻繁に自己アドレスの書き換えが必要となる。しかし、一般的に自己アドレスの書き換えは容易ではなく、現実的ではなかった。
【００１６】
そこで、本発明は、上述した実情に鑑みてなされたものであって、既存の通信方式を変更することなく、さらに多くの種類の情報を送受信することを可能にするデータ送信方法及びデータ送信装置、データ受信装置及びデータ受信方法、並びにデータ送受信システムを提供することを目的としている。
発明の開示
【００１７】
本発明に係るデータ送信方法は、上述の課題を解決するために、送信対象とする送信データと当該送信データの識別を示す識別情報とを送信データ領域に配置し、送信データの宛先からなる宛先情報を宛先情報領域に配置し、送信データ領域と宛先情報領域とを選択呼出部に配置し、選択呼出部に送信データ及び宛先情報を読み出すための同期情報を付加してなるグループをデータ送信サイクルとして繰り返し送信する。
【００１８】
このデータ送信方法は、送信データに当該送信データの宛先情報の他に識別情報を付加して送信する。また、送信データはビデオゲームに使用されるデータであり、また、識別情報はビデオゲームの進行段階を示す。
【００１９】
また、本発明に係るデータ送信装置は、上述の課題を解決するために、送信対象とする送信データが配置される送信データ領域と当該送信データの宛先を示す宛先情報が配置される宛先情報領域とからなる選択呼出部と、当該送信データ及び宛先情報を読み出すための同期情報とを有するグループをデータ送信サイクルとして繰り返して送信データの送信処理をする。そのため、データ送信装置は、送信データ領域に当該送信データ領域に配置される送信データの識別を示す識別情報を配置する識別情報配置手段と、データ送信サイクルとして送信データの送信処理をする送信処理手段とを備える。
【００２０】
このような構成を有するデータ送信装置は、識別情報配置手段により、送信データ領域に当該送信データ領域に配置される送信データの識別を示す識別情報を配置し、送信処理手段により、当該送信データ領域を、データ送信サイクルとして送信する。
【００２１】
即ち、このデータ送信装置は、送信データに当該送信データの宛先情報の他に識別情報を付加して送信する。また、送信データはビデオゲームに使用されるデータであり、また、識別情報配置手段によって配置される識別情報は、ビデオゲームの進行段階を示す。
【００２２】
また、本発明に係るデータ受信装置は、上述の課題を解決するために、送信対象とする送信データ及び当該送信データの識別を示す識別情報が配置される送信データ領域と当該送信データの宛先を示す宛先情報が配置される宛先情報領域とからなる選択呼出部と、当該送信データ及び宛先情報を読み出すための同期情報とを有するグループがデータ送信サイクルとして繰り返されて送信されてくる。そのため、データ受信装置は、宛先情報を設定する宛先情報設定手段と、識別情報を設定する識別情報設定手段と、自己の属するグループ内に配置されている情報を得るために、同期情報に基づいてグループの同期をとる同期手段と、選択呼出部に配置されている宛先情報と宛先情報設定手段により設定された宛先情報とを比較して宛先情報比較結果を得る宛先情報比較手段と、送信データ領域に配置されている識別情報と識別情報設定手段により設定された識別情報とを比較して識別情報比較結果を得る識別情報比較手段と、宛先情報比較結果及び識別情報比較結果に基づいて送信データの受信制御を行う受信制御手段とを備える。
【００２３】
このような構成を有するデータ受信装置は、同期手段により、自己の属するグループ内に配置されている情報を得るために、同期情報に基づいてグループの同期をとる。そして、データ受信装置は、宛先情報比較手段により、選択呼出部に配置されている宛先情報と、宛先情報設定手段により設定された宛先情報とを比較して宛先情報比較結果を得て、識別情報比較手段により、送信データ領域に配置されている識別情報と識別情報設定手段により設定された識別情報とを比較して識別情報比較結果を得る。そして、データ受信装置は、受信制御手段により、宛先情報比較結果及び識別情報比較結果に基づいて送信データの受信制御を行う。
【０００２４】
即ち、このデータ受信装置は、送信されてくる送信データを、当該送信データに付加されている宛先情報及び識別情報に基づいて受信する。また、送信されるデータはビデオゲームに使用されるデータであり、識別情報設定手段によって設定される識別情報は、ビデオゲームの進行段階に応じて設定することができる。
【００２５】
また、本発明に係るデータ受信方法は、上述の課題を解決するために、送信対象とする送信データ及び当該送信データの識別を示す識別情報が配置される送信データ領域と当該送信データの宛先を示す宛先情報が配置される宛先情報領域とからなる選択呼出部と、当該送信データ及び宛先情報を読み出すための同期情報とを有するグループがデータ送信サイクルとして繰り返されてくる送信されくるデータを受信する。そのために、データ受信方法は、自己の属するグループ内に配置されている情報を得るために、同期情報に基づいてグループの同期をとる同期工程と、選択呼出部に配置されている宛先情報と予め設定された宛先情報とを比較して宛先情報比較結果を得る宛先情報比較工程と、送信データ領域に配置されている識別情報と予め設定された識別情報とを比較して識別情報比較結果を得る識別情報比較工程と、宛先情報比較結果及び識別情報比較結果に基づいて送信データの受信制御を行う受信制御工程とを有する。
【００２６】
このようなデータ受信方法は、同期工程により、自己の属するグループ内に配置されている情報を得るために、同期情報に基づいてグループの同期をとる。そして、データ受信方法は、宛先情報比較工程により、選択呼出部に配置されている宛先情報と予め設定された宛先情報とを比較して宛先情報比較結果を得て、識別情報比較工程により、送信データ領域に配置されている識別情報と予め設定された識別情報とを比較して識別情報比較結果を得る。そして、データ受信方法は、受信制御工程により、宛先情報比較結果及び識別情報比較結果に基づいて送信データの受信制御を行う。
【００２７】
即ち、このデータ受信方法は、送信されてくる送信データを、当該送信データに付加されている宛先情報及び識別情報に基づいて受信する。また、送信されるデータはビデオゲームに使用されるデータであり、予め設定された識別情報は、ビデオゲームの進行段階に応じて予め設定することができる。
【００２８】
また、本発明に係るデータ送受信システムは、上述の課題を解決するために、送信対象とする送信データが配置される送信データ領域と当該送信データの宛先を示す宛先情報が配置される宛先情報領域とからなる選択呼出部と、当該送信データ及び宛先情報を読み出すための同期情報とを有するグループを、データ送信装置とデータ受信装置との間でデータ送信サイクルとして繰り返し送受信処理をする。そのために、データ送受信システムにおいて、データ送信装置は、送信データ領域に当該送信データ領域に配置される送信データの識別を示す識別情報を配置する識別情報配置手段と、データ送信サイクルとして送信データの送信処理をする送信処理手段とを備え、データ受信装置は、宛先情報を設定する宛先情報設定手段と、識別情報を設定する識別情報設定手段と、自己の属するグループ内に配置されている情報を得るために、同期情報に基づいてグループの同期をとる同期手段と、選択呼出部に配置されている宛先情報と宛先情報設定手段により設定された宛先情報とを比較して宛先情報比較結果を得る宛先情報比較手段と、送信データ領域に配置されている識別情報と識別情報設定手段により設定された識別情報とを比較して識別情報比較結果を得る識別情報比較手段と、宛先情報比較結果及び識別情報比較結果に基づいて送信データの受信制御を行う受信制御手段とを備える。
【００２９】
このような構成を有するデータ送受信システムにおいては、データ送信装置は、識別情報配置手段により、送信データ領域に当該送信データ領域に配置される送信データの識別を示す識別情報を配置し、送信処理手段により、当該送信データ領域を、データ送信サイクルとして送信処理する。一方、データ受信装置は、同期手段により、自己の属するグループ内に配置されている情報を得るために、同期情報に基づいてグループの同期をとる。そして、データ受信装置は、宛先情報比較手段により、選択呼出部に配置されている宛先情報と、宛先情報設定手段により設定された宛先情報とを比較して宛先情報比較結果を得て、識別情報比較手段により、送信データ領域に配置されている識別情報と識別情報設定手段により設定された識別情報とを比較して識別情報比較結果を得る。そして、データ受信装置は、受信制御手段により、宛先情報比較結果及び識別情報比較結果に基づいて送信データの受信制御を行う。
【００３０】
即ち、データ送受信システムは、データ送信装置により、送信データに当該送信データの宛先情報の他に識別情報を付加して送信している。そして、データ受信装置により、送信されてくる送信データを、当該送信データに付加されている宛先情報及び識別情報に基づいて受信する。また、データ送信装置から送信されるデータはビデオゲームに使用されるデータであり、識別情報設定手段によって設定される識別情報は、ビデオゲームの進行段階に応じて設定することができる。
【００３１】
発明を実施するための最良の形態
【００３２】
以下、本発明の実施の形態について図面を用いて詳しく説明する。この実施の形態は、データ受信装置を構成する携帯型情報通信端末に対してデータを無線にて送信する放送システム、いわゆるブロードキャスティング・システムである。
【００３３】
図２に示すように、ブロードキャスティング・システム１は、各種データの放送を行う放送基地局２と、放送基地局２から放送されるデータを受信して再生する携帯型情報通信端末３とから構成される。このブロードキャスティング・システム１においては、後で図３に関連して説明する送信データが、放送基地局２と携帯型情報通信端末３との間で所定のデータ送信サイクルにより送受信処理される。
【００３４】
例えば、送信対象とされる送信データは、ユーザに利用可能とされるような情報であって、例えば、イベント情報、ファッション情報等である。
【００３５】
放送基地局２は、送信データ領域に当該送信データ領域に配置される送信データの識別を示す識別情報を配置する識別情報配置手段であるｓｕｂＩＤ付加部４と、データ送信サイクルとして送信データの送信処理をする送信処理部５とを備えている。
【００３６】
このような構成を有する放送基地局２は、ｓｕｂＩＤ付加部４により、送信データ領域に当該送信データ領域に配置される送信データの識別を示すｓｕｂＩＤを配置する処理をして、送信処理部５により、所定のデータ送信サイクルによりｓｕｂＩＤの配置処理が行われた当該送信データの送信処理をする。
【００３７】
また、携帯型情報通信端末３は、宛先情報であるＩＤを設定する宛先情報設定手段及び識別情報であるｓｕｂＩＤを設定する識別情報設定手段である入力部６と、自己の属するグループ内に配置されている情報を得るために、同期情報に基づいてグループの同期をとる同期機能を有している受信処理部７と、選択呼出部に配置されているＩＤと入力部６により設定されたＩＤとを比較して宛先情報比較結果を得る宛先情報比較機能及び送信データ領域に配置されているｓｕｂＩＤと入力部６により設定されたｓｕｂＩＤとを比較して識別情報比較結果を得る識別情報比較機能を有する比較部８と、比較部８より得た宛先情報比較結果及び識別情報比較結果に基づいて送信データの受信制御を行う受信制御手段であるデータ読み出し部９とを備えている。
【００３８】
また、入力部６は、データ読み出し制御部９が宛先情報比較結果に基づいてのみ送信データの受信制御を行う旨を設定する受信制御設定機能を有している。
【００３９】
例えば、この入力部６により入力されたＩＤ及びｓｕｂＩＤは、レジスタにそれぞれ記憶される。そして、レジスタには、ＩＤに対応されて、ｓｕｂＩＤに基づいて送信データを受信するか否かを示すユーザ設定領域を設けられている。即ち、宛先情報比較結果に基づいてのみ送信データの受信制御を行う旨が設定された場合（即ち、ｓｕｂＩＤに基づいた選択受信を行わない場合）には、ユーザ設定領域は、例えば「０」と設定される。一方、宛先情報比較結果及び識別情報比較結果に基づいて送信データの受信制御を行う旨が設定された場合（即ち、ｓｕｂＩＤも参照して選択受信を行う場合）には、ユーザ設定領域は、例えば「１」と設定される。
【００４０】
ブロードキャスティング・システム１は、このような構成を有して、ＩＤ及びｓｕｂＩＤに基づいた所望のデータの送受信処理を行っている。
【００４１】
具体的には、このブロードキャスティング・システム１において採用されるデータ送信用のデータフレームは、図３中（Ａ）乃至（Ｃ）に示すように構成される。
【００４２】
このように構成されるデータフレームは、選択呼出信号内のメッセージ領域の一部にｓｕｂＩＤを配置することに特徴がある。
【００４３】
図３（Ａ）に示すように、即ち、データフレームのフォーマットは、従来のそれと同様に、データ送信サイクルとして１５のグループＧ1，Ｇ2，Ｇ3，Ｇ4，・・・，Ｇ14，Ｇ15より、１フレームが構成されている。
【００４４】
図３（Ｂ）に示すように、各グループは、従来のデータフレームのフォーマットと同様に、同期情報からなる同期信号２０１、アドレス／メッセージ識別信号２０２、複数の選択呼出部である選択呼出信号２０３，２０４及び位相補償信号２０５より構成されている。ここで、１フレームは、例えば２９秒の周期をもつ。
【００４５】
同期信号２０１は、携帯型情報通信端末３が対応して自己の属するグループを同期して、当該同期したグループ内の自己宛の選択呼出信号を受信するための部分である。即ち、各携帯型情報通信端末３は、フレーム内のいずれか一つのグループに属し、自己の属するグループの同期信号を受信することによって同期をとり、そのグループ内の選択呼出信号を受信する。
【００４６】
図３（Ｃ）に示すように、選択呼出信号２０３，２０４は、アドレス信号（宛先情報ＩＤ）２１１及びメッセージ信号（送信データ）１０２から構成され、例えば、両信号の構成単位はともに誤り訂正符号語［ＢＣＨ（３１，１６）］である。そして、この各選択呼出信号２０３，２０４には、上述したｓｕｂＩＤ１０１が本来のメッセージ信号領域内に格納されている。
【００４７】
例えば、各選択呼出信号２０３，２０４は、その内容が３１ｂｉｔ単位とされて、合計で１５５ｂｉｔとして構成される。具体的には、各選択呼出信号は、アドレス信号を６２ｂｉｔ、ｓｕｂＩＤ１０１を８ｂｉｔ、メッセージ信号を８５ｂｉｔで表現している。
【００４８】
アドレス信号２１１は、携帯型情報通信端末４の識別を示すアドレスとされる。ここで、アドレス信号２１１は、いわゆる自己アドレスであって、従来より、携帯型情報通信端末３が自己宛に送信されてくる送信データの受信に用いる当該携帯型情報通信端末３の固有の識別情報（ＩＤ）とされて、その種類が物理的に制限されている。これに対して、ｓｕｂＩＤについては何ら制限を受けていないといえる。
【００４９】
例えば、携帯型情報通信端末３は、受信した選択呼出信号中に自己のアドレス信号があれば、そのポケットベル受信機は鳴音するとともに、メッセージ信号を解読して内容を表示する。
【００５０】
ｓｕｂＩＤ１０１は、送信対象とされて送信される送信データの識別や種類を示す情報である。即ち、ｓｕｂＩＤ１０１は、送信データの付属データとされるものであって、例えば、送信データがファッション情報の場合には、配信対象とするユーザの年齢、性別等からなる。
【００５１】
ここで、送信データ格納領域とは、従来よりメッセージ信号を格納するものとして選択呼出信号内において所定のフォーマットとされて構成される領域である。即ち、図１に示したメッセージ信号２１２のみが格納されるメッセージ信号格納領域であって、９３ｂｉｔにより表現される部分である。図３（Ｃ）に示すように、ｓｕｂＩＤ１０１は、この送信データ格納領域（以下、メッセージ信号格納領域という。）の先頭の８ｂｉｔによって表現されている。
【００５２】
アドレス／メッセージ識別信号２０２は、選択呼出信号中のアドレス信号２１１、ｓｕｂＩＤ１０１、及びメッセージ信号１０２の並び方を符号語単位で示したものである。
【００５３】
位相補償信号２０５は、各基地局で互いに送信信号の位相を一致させるために基地局側で用いる信号である。
【００５４】
ブロードキャスティング・システム１は、このように構成されるデータフレームを、送信用データフォーマットとして採用している。ブロードキャスティング・システム１において、携帯型情報通信端末３は、放送基地局２からＩＤ（アドレス信号２１１）及びｓｕｂＩＤ１０１が付加されて放送されるデータを、そのＩＤ及びｓｕｂＩＤに基づいて受信している。
【００５５】
次に、上述したブロードキャスティング・システム１について具体的な構成例を挙げて、詳しく説明する。
【００５６】
図４に示すように、ブロードキャスティング・システム１は、通信回線１２に接続されて情報提供者からの情報が入力される入力装置１１1〜１１mと、入力装置１１1〜１１mから送られた識別情報であるＩＤが付加されたデータに対してＩＤ変換等の所定の処理を施す中央局２０と、各入力装置１１1〜１１mと中央局２０との間でデータを相互に伝送する通信回線１２と、各々が中央局２０からのデータに送信処理等の所定の処理を施して夫々のアンテナ３４1〜３４nから送信する複数の基地局３０1〜３０nと、アンテナ３４1〜３４nから無線にて送信されたデータを受信する複数の携帯型情報通信端末３とから構成されている。
【００５７】
入力装置１１1〜１１mは、例えばパーソナルコンピュータが用いられ、例えばテキスト文字などの形式で各種データが入力される。この入力装置１１1〜１１mには、入力・編集・通信に用いられる専用のソフトウェア等が予めインストールされている。
【００５８】
また、例えば、この入力装置１１1〜１１mにより、各データの入力の際に、当該データに対応されるｓｕｂＩＤの入力を行う。そして、入力装置１１1〜１１mから通信回線１２を介して中央局２０への送信対象であるデータ及びｓｕｂＩＤの送信が行われる。
【００５９】
通信回線１２は、一般アナログ回線として構成されている。或いは、ＩＳＤＮ（Integrated Services Digital Network ）、ＯＣＮ（Open Computer Network ）等のような電話網やパケット網を利用して構成することもできる。
【００６０】
中央局２０は、接続センタ２１、符号化処置部２２、及びＭＯＤＥＭ２３を有している。
【００６１】
接続センタ２１は、入力装置１１1〜１１mから送られてきた送信対象とされる送信データの管理処理を行う。この接続センタ２１は、送信データに対応するアドレス信号（ＩＤ）を発生させる。例えば、無線呼出システムの場合において、このアドレス信号は、ポケベルの呼出番号とされる。
【００６２】
また、接続センタ２１は、例えば、データに対して現時点で有効なＩＤコードのチェック、予め編成された配信スケジュールとの整合のチェック、場合によってはデータの内容の品質チェック等も行う。
【００６３】
符号化処理部２２は、接続センタ２１から送信されてくる送信データを、所定の方式で符号化する。
【００６４】
ＭＯＤＥＭ２３は、符号化処置部２２にて符号化されたデータを受け取り、このデータを所定の方式にてシリアルデータに変換して基地局３０1〜３０nに送信する。
【００６５】
基地局３０の各々は、ＭＯＤＥＭ３１、位相補償部３２、送信処理部３３、アンテナ３４を有している。この基地局３０1〜３０nは、ＩＤが付加されたデータを放送するための放送処理を施す放送処理手段を構成する。
【００６６】
ＭＯＤＥＭ３１は、中央局２０のＭＯＤＥＭ２３から所定の形式のシリアルデータとして送信されたデータを受信する。
【００６７】
位相補償部３２は、ＭＯＤＥＭ３１により受信したデータに対して位相補償を施す。
【００６８】
送信処理部３３は、位相補償部３２において位相補償されたデータに対してアンテナ３４から無線にて発信するための変調等の処理を施す。具体的には、位相補償されたデータに波形オフセットかけるため、各基地局３０1〜３０nごとに位相をずらした正弦波を重畳し、ＦＳＫ（frequency-shift keying）変調を行う。
【００６９】
アンテナ３４は、基地局３０において信号処理されたデータを無線にて送信する。
【００７０】
ここで、中央局２０の符号付加装置２２、基地局３０の位相補償部３２及び送信処理部３３は、図２に示したｓｕｂＩＤ付加部４及び送信処理部５を構成する。即ち、符号付加装置２２、位相補償部３２及び送信処理部３３により、送信データ領域に当該送信データ領域に格納される送信データの識別を示すｓｕｂＩＤを格納する（即ち、送信データ格納領域の先頭の８ｂｉｔにｓｕｂＩＤを埋め込む。）とともに、所定のデータ送信サイクルにより図３に示したデータフレームとして当該送信データの送信処理を行う。
【００７１】
携帯型情報通信端末３については、図２に示すように、入力部６、受信処理部７、比較部８、及びデータ読み出し制御部９を備えている。
【００７２】
受信処理部７は、アンテナ１０により受信した放送基地局２からの送信データを信号処理等する部分として構成されている。例えば、受信処理部７は、受信されたデータについて復調処理を行う。また、受信処理部７は、自己の属するグループの同期信号２０１を受信することにより同期をとる同期機能を有している。さらに、受信処理部７は、受信したデータを一時的に保持するためのメモリ（図示せず。）を有している。
【００７３】
入力部６は、受信者により各種情報の入力、設定等を行うように構成され、例えば、入力部６は、各種キー、ボタン等によって構成されている。
【００７４】
即ち、入力部６を操作して、ＩＤやｓｕｂＩＤの設定をすることができる。また、入力部６により、データ読み出し制御部９が宛先情報比較結果に基づいてのみ送信データの受信制御を行う旨を設定することができる。
【００７５】
比較部８は、受信処理部７により同期のとられたグループ内のＩＤと入力部６により設定されたＩＤとを比較して、宛先情報比較結果を得る。また、比較部８は、当該グループ内のｓｕｂＩＤと入力部６により設定されたｓｕｂＩＤとを比較して、識別情報比較結果を得る。例えば、比較部８は、受信処理部７のメモリに一時的に保持されている送信データに付加されているＩＤ及びｓｕｂＩＤを読み出して、予め入力部６により設定されているＩＤ及びｓｕｂＩＤとの比較を行う。
【００７６】
具体的には、比較部８は、選択呼出信号内のＩＤ（アドレス信号）を読み出す。そして、比較部８は、当該アドレス信号が自己のアドレスである場合に、ｓｕｂＩＤを読み出する。携帯型情報通信端末３は、この比較部８による送信データのＩＤ及びｓｕｂＩＤと、入力部６により入力されたＩＤ及びｓｕｂＩＤとの比較結果に基づいて、当該ＩＤ及びｓｕｂＩＤが付加されていた送信データを受信する。
【００７７】
データ読み出し制御部９は、比較部８による宛先情報比較結果及び識別情報比較結果に基づいて送信データの受信制御を行う部分を構成している。ここで、送信データの受信制御とは、ＩＤ及びｓｕｂＩＤに基づいて行われる送信データの読み込み処理であって、例えば、読み込まれた送信データは、当該携帯型情報通信端末３の備える不揮発メモリ等の記憶手段（図示せず。）に記憶される。
【００７８】
例えば、ＩＤ比較部８及びデータ読み出し制御部９は、携帯型情報通信端末３の各部を制御するＣＰＵの機能によって実現される。
【００７９】
このような構成を有することにより、携帯型情報通信端末３は、受信処理部７により、自己の属するグループの同期情報から同期をとる。そして、携帯型情報通信端末３は、比較部８により、選択呼出部に格納されているＩＤと入力部６により設定されたＩＤとを比較して宛先情報比較結果を得て、メッセージ信号領域に格納されているｓｕｂＩＤと入力部６により設定されたｓｕｂＩＤとを比較して識別情報比較結果を得る。そして、携帯型情報通信端末３は、データ読み出し制御部９により、宛先情報比較結果及び識別情報比較結果に基づいて送信データの受信制御を行う。
【００８０】
また、携帯型情報通信端末３は、入力部６からデータ読み出し制御部９が宛先情報比較結果に基づいてのみ送信データの受信制御を行う旨が設定された場合には、宛先情報比較結果のみに基づいて送信データの受信制御を行う。例えば、これにより、識別情報比較結果の如何に関わらず、宛先情報比較結果のみに基づいて送信データの選択的な受信が可能になる。即ち、携帯型情報通信端末３は、識別情報比較結果に関わらず、自己のアドレスが付加されている送信データの全てを受信するような場合である。
【００８１】
以上のようにブロードキャスティング・システム１は構成されている。
【００８２】
このブロードキャスティング・システム１において、放送基地局２は、送信データに対して、宛先情報（ＩＤ）と送信データの種類等を示す識別情報（ｓｕｂＩＤ）とを付加して、送信データの送信を行っている。これにより、携帯型情報通信端末３は、送信データに付加されたＩＤ及びｓｕｂＩＤに基づいて、当該送信データを選択的に取り込むことができる。
【００８３】
ブロードキャスティング・システム１において、従来は、或る限られた個数のＩＤが使用され、ユーザはこのようなＩＤに基づいて送信データのデコードを選択的に実行していた。本発明においては、従来のＩＤに加えて、メッセージ信号領域に拡張されたｓｕｂＩＤを含めてデコードを行うかを設定することが可能になる。これにより、ＩＤによる従来のデータ受信に加え、ｓｕｂＩＤをも参照して、送信データの選択的な受信を行うことができるようになる。
【００８４】
ここで、ＩＤとｓｕｂＩＤとの関係は、図５に示すように、各ＩＤに対して複数のｓｕｂＩＤを対応させること、即ち、一つのＩＤが複数のｓｕｂＩＤ０，１，・・・，Ｎ（Ｎ；整数）を拡張して保持するということになる。例えば、図３中（Ｃ）に示すように、ｓｕｂＩＤが８ｂｉｔである場合には、理論的には一つのＩＤにつき拡張できるｓｕｂＩＤの数は２５６個になる。
【００８５】
このようなブロードキャスティング・システム１により、具体的には、携帯型情報通信端末３内部に持つＩＤそれぞれに対し、ユーザによる設定領域をもち、その設定領域の内容を判別することによりｓｕｂＩＤをも考慮した選択的な受信を行うことができる。即ち、上述したように、ユーザ設定領域が「０」の場合は、従来の受信と判断しｓｕｂＩＤによる選択受信は行わないようにして、一方、「１」の場合には、ｓｕｂＩＤが付加された送信データと判断し、ｓｕｂＩＤのデコードを行い、当該送信データの選択的な受信を行う。
【００８６】
ここで、ｓｕｂＩＤを利用した選択的受信の具体的な例について説明する。
【００８７】
例えば、アパレルメーカーがあるＩＤで送信データとしてファッション情報を放送する場合において、ｓｕｂＩＤにより性別、年齢、季節等の情報を当該ファッション情報に付加しているとする。
【００８８】
これに対応し、受信者側では、携帯型情報通信端末３にこのアパレルメーカーのＩＤの設定をし、さらに、このＩＤに流れてくる情報はｓｕｂＩＤを持っているという設定をする。そして、受信者は、自分が必要とするｓｕｂＩＤを設定する。
【００８９】
これにより、受信者は、ＩＤ、さらに性別、年齢、季節等の条件からなるｓｕｂＩＤによりアパレルメーカからのファッション情報の配信を受けることができる。即ち、受信者は、条件に一致する必要最小限のものとしてアパレルメーカのファッション情報を取得することができる。
【００９０】
具体的には、例えばアパレルメーカーが８ｂｉｔよりなるｓｕｂＩＤを使って、０ｂｉｔ目に性別、１，２ｂｉｔ目に季節、３〜７ｂｉｔ目に年齢の情報を入れて送信データとしてファッション情報を送る場合、ユーザがそれぞれ必要なｂｉｔを各自の携帯型情報通信端末３に設定することにより当該ファッション情報を選択的に受信することができるようになる。
【００９１】
また、すべての情報を受信したい場合は、上述したように、ユーザ設定領域を０にすることにより、選択を行わずすべての情報を受信することができる。
【００９２】
以上のように、ブロードキャスティング・システム１により、発信者側とされる放送基地局２からは、一つのＩＤに対してｓｕｂＩＤを付加することで、情報をさらに分類して発信することが可能となる。
【００９３】
また、受信者側とされる携帯型情報通信端末３では、ひとつのＩＤに対して発信された情報をｓｕｂＩＤにより階層的に選択することでＩＤの拡張を行うことが可能となる。
【００９４】
これにより、従来の通信方式には何ら影響を及ぼすこと無く、情報の細分化、多様化に対応したブロードキャスティング・システムを構成することができる。
【００９５】
次に携帯型情報通信端末３の具体的な応用例について説明する。図６乃至図１０には、エンタテインメント・システムを示しており、携帯型情報通信端末３は、このエンタテインメント・システムにおいて携帯用電子機器４００として構成されている。
【００９６】
エンタテインメント・システムは、図６及び図７に示すように、ビデオゲーム装置３０１と、このビデオゲーム装置３０１に着脱可能とされて、当該ビデオゲーム装置３０１との間でデータの通信を行う携帯型情報通信端末３である携帯用電子機器４００とから構成される。このエンタテインメント・システムにおいて、ビデオゲーム装置３０１は親機として構成され、携帯用電子機器４００はその子機として構成されている。例えば、このエンタテインメント・システムでは、ビデオゲーム装置３０１が、ＣＤ−ＲＯＭ等の記録媒体に記録されているゲームプログラムを実行する手段として構成され、携帯用電子機器４００が、放送によって送信されてくるデータの受信を行う手段として構成される。
【００９７】
ビデオゲーム装置３０１の本体３０２は、ビデオゲーム等のアプリケーション・プログラムを供給する光ディスクが装着されるディスク装着部３０３と、リセットスイッチ３０４と、電源スイッチ３０５と、ディスク操作スイッチ３０６と、２つのスロット部３０７Ａ，３０７Ｂとを備えている。
【００９８】
スロット部３０７Ａ，３０７Ｂには、携帯用電子機器４００（携帯型情報通信端末３）、コントローラ３２０又はモリカードシステムを接続することができる。
【００９９】
コントローラ３２０は、第１、第２の操作部３２１，３２２と、Ｌボタン３２３Ｌ，Ｒボタン３２３Ｒと、スタートボタン３２４と、選択ボタン３２５と、アナログ的操作が可能な操作部３３１，３３２と、モード選択スイッチ３３３と、操作モード表示部３３４とを有している。
【０１００】
携帯用電子機器４００は、図８中（Ａ）乃至（Ｃ）に示すように、ハウジング４０１を有して構成され、各種情報入力のための操作部４２０と、液晶表示装置（ＬＣＤ）等からなる表示部４３０と、例えば赤外線によるワイヤレス通信を行うための窓部４４０とが設けられている。
【０１０１】
操作部４２０には、複数の操作子４２１，４２２が設けられている。スイッチ押圧部が、蓋部材４１０が閉蓋された状態において、各操作子４２１，４２２の位置に対応する位置に設けられている。各操作子４２１，４２２が押圧されると、スイッチ押圧部が例えばダイヤフラムスイッチの如き押圧スイッチを押圧する。
【０１０２】
携帯用電子機器４００は、図７に示すように、蓋部材４１０が開かれた状態でビデオゲーム装置３０１の本体３０２に装着される。
以上のようにビデオゲーム装置３０１及び携帯用電子機器４００の外観が構成されている。
【０１０３】
図９及び図１０には、このビデオゲーム装置３０１及び携帯用電子機器４００の回路構成等を示している。
【０１０４】
ビデオゲーム装置３０１は、図９に示すように、中央演算処理装置（ＣＰＵ：Central Processing Unit）３５１及びその周辺装置等からなる制御系３５０と、フレームバッファ３６３に描画を行う画像処理装置（ＧＰＵ：Graphic Processing Unit ）３６２等からなるグラフィックシステム３６０と、楽音，効果音等を発生する音声処理装置（ＳＰＵ：Sound Processing Unit）等からなるサウンドシステム３７０と、アプリケーション・プログラムが記録されている光ディスクの制御を行う光ディスク制御部３８０と、コントローラ３２０からの信号及びメモリカード５００や携帯用電子機器４００からのデータの入出力を制御する通信制御部３９０と、上記の各部が接続されているバス３９５と、他の機器とのインターフェース部と構成するパラレルＩ／Ｏインタフェース（ＰＩＯ）３９６と、シリアルＩ／Ｏインタフェース（ＳＩＯ）３９７とを備えている。
【０１０５】
携帯用電子機器４００については、図１０中（Ａ）に示すように、制御手段４４１、接続コネクタ４４２、入力手段４４３、表示手段４４４、時計機能部４４５、不揮発メモリ４４６、スピーカ４４７、データの送受信手段としてのワイヤレス通信手段４４８及び無線受信手段４４９、電池４５０、並びに蓄電手段を構成する電源端子４５１及びダイオード４５２を備えて構成されている。
【０１０６】
制御手段４４１は、例えばマイクロコンピュータ（図中ではマイコンと略記する。）を用いて構成されている。そして、制御手段４４１は、その内部にはプログラム格納手段であるプログラムメモリ部４４１ａを有している。そして、制御手段４４１は、図２に示した比較部８及びデータ読み出し部９の機能を有して構成されている。
【０１０７】
接続コネクタ４４２は、他の情報機器等のスロットに接続するための接続手段として構成されている。例えば、接続コネクタ４４２は、ビデオゲーム装置３０１との間でデータの送受信を行うデータ通信機能を有して構成されている。
【０１０８】
入力手段４４３は、格納されたプログラムを操作するための操作ボタン等から構成される。この入力手段４４３は、図２に示した入力部６に対応される。
【０１０９】
無線受信手段４４９は、アンテナや復調回路等を有して構成される部分であって、無線放送によって送信されてくる各種データを受信する部分として構成されている。また、この無線受信手段４４９は、受信される放送データを一時的に記憶するためのメモリを備えている。この無線受信手段４４９は、図２に示したアンテナ１０及び受信処理部７の機能を有して構成されている。
【０１１０】
なお、上記の各部は、いずれも制御手段４４１に接続しており、制御手段４４１の制御に従って動作する。
【０１１１】
図１０中（Ｂ）には、制御手段４４１の制御項目を示している。制御手段４４１は、この図１０中（Ｂ）に示すように、情報機器への本体接続インタフェースと、メモリにデータを入出力するためのメモリインタフェースと、表示インタフェースと、操作入力インタフェースと、音声インタフェースと、ワイヤレス通信インタフェースと、時計管理と、プログラムダウンロードインタフェースとを備えている。
【０１１２】
このように構成される携帯用電子機器４００は、実行されるプログラムを操作するためのボタンスイッチ等の入力手段４４３、液晶表示装置（ＬＣＤ）等を用いる表示手段４４４を備えることにより、ゲームアプリケーションを動作させると携帯型ゲーム装置としての機能も有している。
【０１１３】
また、この携帯用電子機器４００は、アプリケーション・プログラムを、ビデオゲーム装置３０１からプログラムをダウンロードして、マイクロコンピュータ４４１内のプログラムメモリ部４４１ａに格納する機能を有しており、これにより、当該携帯用電子機器４００上で動作するアプリケーション・プログラムや各種のドライバソフトを容易に変更することができる。
【０１１４】
さらに、この携帯用電子機器４００は、放送局２（図２）から放送により送信されてくる送信データを無線受信手段４４９によって受信し、その受信した送信データに付加されているＩＤ及びｓｕｂＩＤに基づいて当該送信データを選択的に受信することができる。
【０１１５】
以上のようにエンタテインメント・システムは構成されている。このエンタテインメント・システムにより、携帯用電子機器４００では、ＩＤ及びｓｕｂＩＤに基づいて送信データを選択的に受信することができる。そして、携帯用電子機器４００は、ビデオゲーム装置３０１に伝送することもできる。ビデオゲーム装置３０１は、伝送されてきた送信データを、再生したり、ビデオゲームに使用するデータとして利用したりすることもできる。
【０１１６】
具体的にはビデオゲームに次のようにｓｕｂＩＤを利用することができる。ビデオゲーム装置３０１又は携帯用電子機器４００においてゲームを実行し、そのゲームの進行段階に応じてｓｕｂＩＤを設定する。例えば、ゲームにおいて、あるステージ（場面）をクリアした場合にｓｕｂＩＤを設定するようにする。
【０１１７】
一方、各種データの放送を行う放送局では、ビデオゲーム装置３０１又は携帯用電子機器４００が実行しているゲームを進行させるるために必要なデータを送信データとしてｓｕｂＩＤ付加して放送する。例えば、ステージをクリアしたビデオゲーム装置３０１又は携帯用電子機器４００がその次のステージを実行するために必要なデータにｓｕｂＩＤを付加して送信する。
【０１１８】
このような場合、ビデオゲーム装置３０１又は携帯用電子機器４００では、ステージをクリアしない限り所定のｓｕｂＩＤを発生させることがないので、当然次のステージを実行することはできない。即ち、ビデオゲーム装置３０１又は携帯用電子機器４００はステージをクリアすることでｓｕｂＩＤを発生させ、そのｓｕｂＩＤと一致するｓｕｂＩＤが付加されている送信データを受信することによりクリアした次のステージを実行できるようにすることが可能になる。
【０１１９】
このようにビデオゲーム等に使用するデータにｓｕｂＩＤを付加することにより、ビデオゲーム装置３０１及び携帯用電子機器４００の利用価値を高めることができる。
【０１２０】
本発明に係るデータ送信方法によれば、送信データに当該送信データの宛先情報の他に識別情報を付加して送信することができる。
【０１２１】
これにより、従来の通信方式には何ら影響を及ぼすこと無く、情報の細分化、多様化に対応したデータ送受信システムを構築することができる。
【０１２２】
また、本発明に係るデータ送信装置によれば、識別情報配置手段により、送信データ領域に当該送信データ領域に配置される送信データの識別を示す識別情報を配置し、送信処理手段により、当該送信データ領域を、データ送信サイクルとして送信処理する。
【０１２３】
即ち、このデータ送信装置は、送信データに当該送信データの宛先情報の他に識別情報を付加して送信することができる。
【０１２４】
これにより、従来の通信方式には何ら影響を及ぼすこと無く、情報の細分化、多様化に対応したデータ送受信システムを構築することができる。
【０１２５】
また、本発明に係るデータ受信装置によれば、同期手段により、自己の属するグループ内に配置されている情報を得るために、同期情報に基づいてグループの同期をとることができ、そして、宛先情報比較手段により、選択呼出部に配置されている宛先情報と宛先情報設定手段により設定された宛先情報とを比較して宛先情報比較結果を得て、識別情報比較手段により、送信データ領域に配置されている識別情報と識別情報設定手段により設定された識別情報とを比較して識別情報比較結果を得ることができる。そして、データ受信装置は、受信制御手段により、宛先情報比較結果及び識別情報比較結果に基づいて送信データの受信制御を行うことができる。
【０１２６】
即ち、このデータ受信装置は、送信されてくる送信データを、当該送信データに付加されている宛先情報及び識別情報に基づいて受信することができる。これにより、従来の通信方式には何ら影響を及ぼすこと無く、情報の細分化、多様化に対応したデータ送受信システムを構築することができる。
【０１２７】
また、本発明に係るデータ受信方法によれば、同期工程により、自己の属するグループ内に配置されている情報を得るために、同期情報に基づいてグループの同期をとることができ、そして、宛先情報比較工程により、選択呼出部に配置されている宛先情報と予め設定された宛先情報とを比較して宛先情報比較結果を得て、識別情報比較工程により、送信データ領域に配置されている識別情報と予め設定された識別情報とを比較して識別情報比較結果を得ることができる。そして、データ受信方法は、受信制御工程により、宛先情報比較結果及び識別情報比較結果に基づいて送信データの受信制御を行うことができる。
【０１２８】
即ち、このデータ受信方法によれば、送信されてくる送信データを、当該送信データに付加されている宛先情報及び識別情報に基づいて受信することができる。これにより、従来の通信方式には何ら影響を及ぼすこと無く、情報の細分化、多様化に対応したデータ送受信システムを構築することができる。
【０１２９】
また、本発明に係るデータ送受信システムに関して、データ送信装置によれば、識別情報配置手段により、送信データ領域に当該送信データ領域に配置される送信データの識別を示す識別情報を配置し、送信処理手段により、当該送信データ領域を、データ送信サイクルとして送信することができる。一方、データ受信装置によれば、同期手段により、自己の属するグループ内に配置されている情報を得るために、同期情報に基づいてグループの同期をとることができ、そして、宛先情報比較手段により、選択呼出部に配置されている宛先情報と宛先情報設定手段により設定された宛先情報とを比較して宛先情報比較結果を得て、識別情報比較手段により、送信データ領域に配置されている識別情報と識別情報設定手段により設定された識別情報とを比較して識別情報比較結果を得ることができる。
【０１３０】
そして、データ受信装置は、受信制御手段により、宛先情報比較結果及び識別情報比較結果に基づいて送信データの受信制御を行うことができる。
【０１３１】
即ち、データ送受信システムによれば、データ送信装置により、送信データに当該送信データの宛先情報の他に識別情報を付加して送信し、データ受信装置により、送信されてくる送信データを、当該送信データに付加されている宛先情報及び識別情報に基づいて受信することができる。
【０１３２】
これにより、従来の通信方式には何ら影響を及ぼすこと無く、情報の細分化、多様化に対応したデータ送受信システムを構築することができる。
【図面の簡単な説明】
【図１】  図１は、無線呼出システムにおいて採用されている従来のデータ送信用のデータフレームのフォーマットを示す図である。
【図２】  図２は、本発明の実施の形態であるブロードキャスティング・システムの構成を示すブロック図である。
【図３】  図３は、ブロードキャスティング・システムにおけるデータ送信用のデータフレームのフォーマットを示す図である。
【図４】  図４は、ブロードキャスティング・システムにおいてデータ送信者側の具体例を示し図である。
【図５】  図５は、ブロードキャスティング・システムにおいて送信データに付加されているＩＤとｓｕｂＩＤの関係を示す図である。
【図６】  図６は、ブロードキャスティング・システムのデータ受信端末である携帯型情報通信端末を備えるエンタテインメント・システムの構成を示す平面図である。
【図７】  図７は、エンタテインメント・システムの構成を示す斜視図である。
【図８】  図８は、携帯用電子機器の構成を示す図である。
【図９】  図９は、ビデオゲーム装置の構成を示すブロック図である。
【図１０】  図１０は、携帯用電子機器の構成を示すブロック図である。
【図１】
0004374779.tif 000002
【図２】
0004374779.tif 000003
【図３】
0004374779.tif 000004
【図４】
0004374779.tif 000005
【図５】
0004374779.tif 000006
【図６】
0004374779.tif 000007
【図７】
0004374779.tif 000008
【図８】
0004374779.tif 000009
【図９】
0004374779.tif 000010
【図１０】
0004374779.tif 000011